(57)【要約】【課題】本発明の目的は、躯体内部側に浸入した雨水や、躯体内部に発生した結露水を受けるとともに、この受けた雨水や結露水を外部へ排出することが可能なサッシ下枠及びこれを備えたサッシを提供することにある。【解決手段】外壁Ｄに形成された開口部に設置されるサッシＳを構成する枠体状のサッシ枠のうち、下枠となるサッシ下枠３に関する。  外壁Ｄの開口部下縁上面に支持される、略水平に延びる支持部３５と、支持部３５より略鉛直方向へ垂下する垂下部３７１と、垂下部３７１より、支持部３５と略平行に延びる底部３７２と、底部３７２より、垂下部３７１と略平行に支持部３５方向へと起立する固定部３７３とを少なくとも備える。【選択図】図１
2008255703.tif 000002
【特許請求の範囲】
【請求項１】
外壁に形成された開口部に設置されるサッシを構成する枠体状のサッシ枠のうち、下枠となるサッシ下枠であって、
前記外壁の開口部下縁上面に支持される、略水平に延びる支持部と、
該支持部より略鉛直方向へ垂下する垂下部と、
該垂下部より、前記支持部と略平行に延びる底部と、
該底部より、前記垂下部と略平行に前記支持部方向へと起立する固定部と、
を少なくとも備えたことを特徴とするサッシ下枠。
【請求項２】
前記垂下部は、前記支持部が前記外壁の開口部下縁上面に支持された際、室外側へ配設される前記外壁の開口部下縁の出隅よりも外側へ配設される位置から垂下しているとともに、前記底部は、前記外壁の開口部下縁の出隅方向へと延びており、
前記固定部は、前記外壁の開口部下縁の出隅へ向けて起立していることを特徴とする請求項１に記載のサッシ下枠。
【請求項３】
前記支持部が前記外壁の開口部下縁上面に支持された際、前記垂下部と、前記底部と、前記固定部とで形成された断面略コ字形状の受部の水平方向両端部は、間接的又は直接的に室外側と連通するよう構成されていることを特徴とする請求項１又は請求項２に記載のサッシ下枠。
【請求項４】
請求項１乃至請求項３いずれか一項に記載のサッシ下枠と、サッシ上枠と、複数のサッシ縦枠とを少なくとも備えたことを特徴とするサッシ枠。
【発明の詳細な説明】
【技術分野】
【０００１】
本発明は、住宅の窓枠等に使用されるサッシ下枠及びこれを備えたサッシ枠に関し、より詳細には、防水機構を備えたサッシ下枠及びこれを備えたサッシ枠に関するものである。
【背景技術】
【０００２】
住宅の外壁に形成された開口部に窓等を配設する場合には、一般的に、上下枠及び左右の縦枠で構成された枠体の内側をスライド開閉するサッシが設けられる場合が多い。
このようなサッシには、通常、外壁との境界部にシーリングを施す等、雨水等の室内側への浸入を防ぐための止水構造が採られている。
しかし、暴風雨等大きな風圧を伴った雨の場合等には、障子召合部等から室内側へと、雨水等が浸入する恐れが依然としてあった。
【０００３】
このような問題を解消し、室内側への雨水の浸入を防止することができるサッシの止水構造が開発されている（例えば、特許文献１、特許文献２参照）。
特許文献１には、下枠フラットサッシの下枠上面排水構造が開示されている。
特許文献１に開示されたフラットサッシには、下枠上面に外障子スライド溝及び内障子スライド溝が設けられており、この外障子スライド溝及び内障子スライド溝の間に位置する上面部材には、下枠上面から内障子スライド溝へ傾斜する排水溝が形成されている。
このため、外障子と内障子との間に浸入した雨水は、この排水溝より排出される。
また、特許文献２には、サッシ下枠の排水構造が開示されている。
特許文献２に開示されたサッシの縦枠及び下枠間に介挿されるシール材には、導水孔が形成されており、下枠に滞留する水をこの導水孔より排出させる。
【０００４】
【特許文献１】特開２００５−０１６２６１号公報（第４頁及び第５頁、図３及び図４）
【特許文献２】特開２００５−０２３６４７号公報（第６頁乃至第１４頁、図１及び図２）
【発明の開示】
【発明が解決しようとする課題】
【０００５】
しかし、上記特許文献１及び特許文献２の技術では、サッシ下枠の上面に達した水を排水することは可能であるが、暴風雨等大きな風圧を伴った雨の場合に、躯体内部に吹き込んだ雨水に対する対策や躯体内部に発生する結露水に対する対策は採られていない。
このため、このような問題に対処し、躯体内部側（特に、サッシ取付下地）を防水することができるよう、サッシ取付下地に防水シートが貼付し、二次止水としていた。
【０００６】
しかし、このような技術では、防水シートによりサッシ取付下地が雨水と直接接触することを回避することは可能であるが、躯体側へと浸入した雨水を受けて躯体内部への更なる浸入を阻止することも、雨水を排出することもできず、躯体内部の湿度が上昇したり、濡れが生じるという問題が生じる。
【０００７】
本発明の目的は、上記各問題点を解決することにあり、躯体内部側に浸入した雨水や、躯体内部に発生した結露水を受けるとともに、この受けた雨水や結露水を外部へ排出することが可能なサッシ下枠及びこれを備えたサッシを提供することにある。
【課題を解決するための手段】
【０００８】
上記課題は、請求項１に係る発明によれば、外壁に形成された開口部に設置されるサッシを構成する枠体状のサッシ枠のうち、下枠となるサッシ下枠であって、前記外壁の開口部下縁上面に支持される、略水平に延びる支持部と、該支持部より略鉛直方向へ垂下する垂下部と、該垂下部より、前記支持部と略平行に延びる底部と、該底部より、前記垂下部と略平行に前記支持部方向へと起立する固定部と、を少なくとも備えたことにより解決される。
【０００９】
このように、本発明に係るサッシ下枠には、垂下部、底部、固定部によって、樋状の雨水の受部が形成されている。
よって、強い風圧を伴った暴風雨の際に、サッシ内部側に雨水が吹き込んでも、この垂下部、底部、固定部によって構成された樋状の受部に雨水を滞留させることができる。
よって、雨水が躯体内部側に浸入することを防止することができる。
【００１０】
このとき、前記垂下部は、前記支持部が前記外壁の開口部下縁上面に支持された際、室外側へ配設される前記外壁の開口部下縁の出隅よりも外側へ配設される位置から垂下しているとともに、前記底部は、前記外壁の開口部下縁の出隅方向へと延びており、前記固定部は、前記外壁の開口部下縁の出隅へ向けて起立していると、好適である。
【００１１】
このように構成されていると、外壁開口部を被覆することができ、この外壁開口部より雨水が浸入することを防止することができるとともに、外壁開口部出隅より下部に、垂下部、底部、固定部によって樋状の受部を形成することができる。
このため、強い風圧を伴った暴風雨の際に、サッシ内部側を廻り込んできた雨水を、外壁開口部出隅下部の受部に確実に落とし込んで滞留させることができる。
【００１２】
また、このとき、前記支持部が前記外壁の開口部下縁上面に支持された際、前記垂下部と、前記底部と、前記固定部とで形成された断面略コ字形状の受部の水平方向両端部は、間接的又は直接的に室外側と連通するよう構成されていると、受部に滞留している雨水を室外へ排出することができるため好適である。
【００１３】
また、本発明に係るサッシ枠は、請求項１乃至請求項３いずれか一項に記載のサッシ下枠と、サッシ上枠と、複数のサッシ縦枠とを少なくとも備えて構成されている。
このため、防水性に優れたサッシ枠を提供することができる。
【発明の効果】
【００１４】
本発明によれば、サッシ下枠には、垂下部、底部、固定部によって、樋状の雨水の受部が形成されている。
よって、強い風圧を伴った暴風雨の際に、サッシ内部側に雨水が吹き込んだ場合であっても、この垂下部、底部、固定部によって構成された樋状の受部に雨水を受けて滞留させることができる。また、躯体内部に発生した結露水もまたこの受部に受けて滞留させることができる。
よって、雨水が躯体内部側にこれ以上浸入することを防止することができるとともに、結露水の躯体内部への浸入もまた防止することができる。
【００１５】
また、支持部が外壁の開口部下縁上面に支持された際、垂下部と、底部と、固定部とで形成された受部の水平方向両端部は、間接的又は直接的に室外側と連通するよう構成されているため、受部に滞留している雨水及び結露水を室外へ排出することができる。
このため、躯体内部の湿度が上昇することを防止することができるとともに、躯体内部の水濡れを防止することができる。
【発明を実施するための最良の形態】
【００１６】
以下、本発明の一実施例を図面に基づいて説明する。なお、以下に説明する構成は本発明を限定するものでなく、本発明の趣旨の範囲内で種々改変することができるものである。
本実施形態は、躯体内部側に浸入した雨水や、躯体内部に発生した結露水を受けるとともに、この受けた雨水を外部へ排出することが可能なサッシ下枠及びこれを備えたサッシに関するものである。
【００１７】
図１乃至図７は、本発明に係る一実施形態を示すものであり、図１はサッシを示す外観図、図２はサッシ下枠部分の拡大図、図３は図２のＡ−Ａ線断面図、図４はサッシ下枠の要部斜視図、図５は図３の要部拡大図、図６は図５のＢ−Ｂ線断面図、図７は雨水排出経路の説明図である。
【００１８】
図１及び図２に、本実施形態に係るサッシＳの外観図を示す。
図１に示すように、本実施形態に係るサッシＳは、アルミ押出成形品であって、サッシ縦枠１，１、サッシ上枠２、サッシ下枠３、内側障子４、外側障子５、を有して構成されている。
【００１９】
本実施形態に係るサッシＳは、公知のサッシ縦枠１，１及びサッシ上枠２、本発明に係るサッシ下枠３で構成された矩形状枠体内部に、公知の内側障子４及び外側障子５がスライド可能に配設されたものである。
【００２０】
また、本実施形態に係るサッシ下枠３には、水切台兼下枠カバー６が取付けられており、内側障子４及び外側障子５等に衝突して下部側へ垂れ落ちる水滴を下部側外部へ誘導する。
更に、本実施形態に係る内側障子４及び外側障子５の外側には、網戸７，７が配設されている。
なお、サッシＳの構造は、これに限られるものではなく、障子の枚数、網戸・水切台兼下枠カバーの有無形状等、適宜変更することができる。
【００２１】
このサッシＳは、家屋と外部空間の境界である外壁Ｄに形成された略矩形の開口部に、シーリング材等の防水部材や断熱部材を介して取付けられる。
図２は、サッシ下枠３部分を示す拡大説明図である。
本実施形態に係るサッシ下枠３の構造を説明するために、Ａ−Ａ線断面図を図３に示す。
【００２２】
図３及び図４に示すように、本実施形態に係るサッシ下枠３は、室内側部材３Ａ、室外側部材３Ｂ、断熱部材３Ｃ、を有して構成されている。
なお、説明のために、図３及び図４のＸ方向を上側とし、Ｙ方向を下側とする。
また、本実施形態に係る外壁Ｄは、パネル芯材Ｐ１を骨組みとして組み、この骨組みの一面にパネル面材Ｐ２及び外装材Ｐ３を配設するとともに、反対側の面に石膏ボードＰ４等の内装材を配設することにより形成されている。
【００２３】
更に、室内側のパネル芯材Ｐ１及び石膏ボードＰ４の上側面には、額縁材Ｑが配設されている。この額縁材Ｑは、公知の額縁材であり、ケーシングとしての機能を果たすためのものである。
また、パネル芯材Ｐ１上面、パネル面材Ｐ２の上面及び室外側面は、防水シートＷで被覆されており、二次止水構造が採られている。
【００２４】
まず、図３により、室内側部材３Ａについて説明する。
本実施形態に係る室内側部材３Ａは、室内側パネル支持部３１、室内側連結部３２、室内側レール部３３、パネル当接部３４を有して構成されている。
【００２５】
本実施形態に係る室内側パネル支持部３１は、パネル芯材Ｐ１及びパネル面材Ｐ２の上面に沿って見込み方向室内側に延びており、その下部側面（パネル芯材Ｐ１側の面）の見込み方向室外側端部には、断面略Ｌ字形状の第１脚部３１１が、下部方向へ向けて略垂直に突出形成されている。
【００２６】
この第１脚部３１１の下端部は、パネル芯材Ｐ１上に載置される。
室内側連結部３２は、室内側パネル支持部３１の見込み方向室外側端部より上方に略鉛直に起立しており、その上端部には、断熱部材３Ｃを挟持するための室内側断熱部材挟持部３２１が形成されている。
【００２７】
この室内側断熱部材挟持部３２１は、断面略コ字形状部であり、略コ字開口を見込み方向室外側へ向けて形成される。
また、室内側断熱部材挟持部３２１の見込み方向室内側の面からは、見込み方向室内側へ向けて略垂直に延出した架橋部３２２が形成されている。
なお、断熱部材３Ｃは、樹脂製部材であり、室内側部材３Ａと室外側部材３Ｂは、この断熱部材３Ｃを介して連結される。
【００２８】
更に、本実施形態に係る室内側レール部３３は、室内側断熱部材挟持部３２１の上面より略鉛直方向上方に起立した部分である。
この室内側レール部３３は、室内側レール支持部３３１、室内側障子レール３３２を有して構成されている。
【００２９】
室内側レール支持部３３１は、室内側断熱部材挟持部３２１の上面より略鉛直方向上方に起立した部分である。
また、この室内側レール支持部３３１の略鉛直上方には、内側障子４を案内するための室内側障子レール３３２が連続形成されている。
【００３０】
本実施形態に係るパネル当接部３４は、室内側パネル支持部３１の見込み方向室内側端部から、パネル芯材Ｐ１及び額縁材Ｑの室外側側面に沿って上方に起立する部分である。
パネル当接部３４は、パネル芯材当接部３４１と額縁材当接部３４２とを有して構成されている。
パネル芯材当接部３４１は、パネル芯材Ｐ１の室外側側面に沿って上方に起立する部分である。
【００３１】
また、額縁材当接部３４２は、パネル芯材Ｐ１と額縁材Ｑとを積層することにより形成される段差部及び額縁材Ｑの室外側側面に沿って、パネル当接部３４１上端から上方に起立する部分である。
【００３２】
なお、パネル芯材当接部３４１と額縁材当接部３４２との境界部には、架橋部３２２の見込み方向室内側端部が連結されている。
また、本実施形態においては、室内側障子レール３３２の位置決めを行うとともに、額縁材当接部３４２を額縁材Ｑ方向に確実に付勢するための付勢部材Ｒ１が、室内側障子レール３３２、架橋部３２２、額縁材当接部３４２で形成される内隅に沿って配設されている。
【００３３】
次いで、図３及び図４により、室外側部材３Ｂについて説明する。
本実施形態に係る室外側部材３Ｂは、室外側パネル支持部３５、水切台兼下枠カバー固定部３６、受部３７、室外側レール部３８、室外側連結部３９を有して構成されている。
【００３４】
本実施形態に係る室外側パネル支持部３５は、パネル芯材Ｐ１及びパネル面材Ｐ２の上面に沿って見込み方向外側に延びており、その下部側面（パネル芯材Ｐ１側の面）には、断面略Ｌ字形状の第２脚部３５１，３５１が、見込み方向と略垂直な方向に向けて並列して形成されている。
【００３５】
また、室外側パネル支持部３５の見込み方向室内側端部からは、室外側連結部支持部３５２が、略鉛直方向上方に起立している。
本実施形態に係る水切台兼下枠カバー固定部３６は、室外側パネル支持部３５の見込み方向外側端部から、外側方向下部へ延出した部分であり、外側方向に開口した断面略コ字形状部として形成される。
【００３６】
この水切台兼下枠カバー固定部３６の自由端は、上下方向に対向しており、これらの部分には、係止部３６１，３６１が、相対向するように形成されている。また、この係止部３６１，３６１により、水切台兼下枠カバー６の端部が係止固定される。この水切台兼下枠カバー６は、例えば風雨の吹き込みを防止するためのレインガードとしての役割を果たす。
【００３７】
また、本実施形態に係る受部３７は、水切台兼下枠カバー固定部３６より下側方向に延出した部分であり、上側方向に開口した断面略コ字形状部として形成される。
この受部３７は、垂下部としての側面部３７１と、底部３７２と、固定部としてのパネル面材固定部３７３とで形成されている。
【００３８】
側面部３７１は、水切台兼下枠カバー固定部３６より下側方向へ延出しており、底部３７２は、この側面部３７１より、パネル面材Ｐ２方向へ向けて略垂直に延出している。
なお、側面部３７１には、締結部材固定作業用孔３７１ａが形成されている。
また、パネル面材固定部３７３は、この底部３７２より上側へ向けて略垂直に起立している。
【００３９】
パネル面材固定部３７３には、締結部材Ｔを挿通するための締結部材挿通孔３７３ａが形成されている。この締結部材挿通孔３７３ａは、締結材固定作業用孔３７１ａと見込み方向に整合する位置に形成されている。
このパネル面材固定部３７３は、締結部材挿通孔３７３ａより締結部材Ｔを固定することにより、パネル面材Ｐ２に固定される。この作業の際、締結材固定作業用孔３７１ａより締結具（ドライバ等）の作業部を挿入して作業を行うことができる。
なお、本実施形態においては、締結部材Ｔは、止水ワッシャー付きの締結部材が使用されている。
【００４０】
このように、本実施形態に係る受部３７は、側面部３７１と、底部３７２と、パネル面材固定部３７３により、上側方向に開口した断面略コ字形状部として形成されることとなり、この受部３７は、外壁Ｄの開口部下縁よりも下側へ配設される。
このため、廻り込んできた雨水は、受部３７に確実に落とし込まれることとなる。
【００４１】
更に、本実施形態に係る室外側レール部３８は、室外側パネル支持部３５の見込み方向外側端部から、上側方向へ略垂直に起立した部分である。
この室外側レール部３８は、室外側レール支持部３８１、室外側障子レール３８２、網戸レール連絡部３８３、網戸レール３８４を有して構成されている。
室外側レール支持部３８１は、室外側パネル支持部３５の見込み方向外側端部から、上側方向へ略垂直に起立した部分である。
【００４２】
この室外側レール支持部３８１の略鉛直上方には、外側障子５を案内するための室外側障子レール３８２が連続形成されている。
また、網戸レール連絡部３８３は、室外側レール支持部３８１と室外側障子レール３８２との境界部から見込み方向外側へ向けて略垂直方向に分岐して延出している。
この網戸レール連絡部３８３の見込み方向外側端部には、略鉛直上方に向けて起立した網戸レール３８４が形成されている。網戸レール３８４は、網戸７を案内するためのレールである。
【００４３】
また、本実施形態に係る室外側連結部３９は、室外側レール支持部３８１の略中央部から、見込み方向室内側へ向けて略垂直に延出した部分である。
この室外側連結部３９の見込み方向室内側端部には、断熱部材３Ｃを挟持するための室外側断熱部材挟持部３９１が形成されている。
この室外側断熱部材挟持部３９１は、断面略コ字形状部であり、略コ字開口を見込み方向室内側へ向けて形成される。
また、室外側断熱部材挟持部３９１の下部面側には、室外側連結部支持部３５２の上端が連結されている。
【００４４】
なお、断熱部材３Ｃは、樹脂製部材であり、室内側部材３Ａと室外側部材３Ｂは、この断熱部材３Ｃを介して連結される。
また、本実施形態においては、室外側障子レール３８２及び室内側障子レール３３２の位置決めを行うための付勢部材Ｒ２が、室外側障子レール３８２及び室外側レール支持部３８１、室外側連結部３９、断熱部材３Ｃで形成される内隅に沿って配設されている。
【００４５】
室内側部材３Ａと室外側部材３Ｂは、断熱部材３Ｃを介して連結されるが、このように連結されて構成されたサッシ下枠３は、第２脚部３５１，３５１及び第１脚部３１１をパネル芯材Ｐ１上面に載置し、額縁材当接部３４２を額縁材Ｑの見込み方向室外側の側面に当接させた状態で、受部３７を形成するパネル面材固定部３７３をパネル面材Ｐ２に固定することにより配設される。
【００４６】
次いで、第１付勢部材Ｒ１が室内側障子レール３３２、架橋部３２２、額縁材当接部３４２で形成される内隅に沿って配設されるとともに、及び第２付勢部材Ｒ２が室外側障子レール３８２及び室外側レール支持部３８１、室外側連結部３９、断熱部材３Ｃで形成される内隅に沿って配設される。
【００４７】
次いで、図５乃至図７により、雨水の排出経路を説明する。
図５は、要部拡大図である。
例えば、ルートＺを通って浸入した雨水は、防水シートＷが存在するため、パネル芯材Ｐ１及びパネル面材Ｐ２にしみこむことなく、受部３７に滞留する。
【００４８】
図６は、図５のＢ−Ｂ線断面図であり、図７は図６の雨水排出経路の説明図である。
図６及び図７に示すように、本実施形態に係る受部３７は、側面部３７１と、底部３７２と、パネル面材固定部３７３により断面略コ字形状の樋となっているので、受部３７に滞留した雨水は、ルートＺを通り、ガスケットＧ方向へ押し出される。
このため、浸入した雨水が躯体内部に滞留したり、躯体を形成する部材にしみこんだりすることを防止することができる。
【００４９】
以上のように、本実施形態におけるサッシ下枠３には、受部３７が設けられている。
このため、大きな風圧を伴った激雨等の影響で、内部に雨水が浸入した場合であっても、この受部３７に雨水を一時滞留させてガスケットＧ方向へ排出することができる。
よって、サッシＳの防水を完全に行うことができる。
【図面の簡単な説明】
【００５０】
【図１】本発明の一実施形態に係るサッシを示す外観図である。
【図２】本発明の一実施形態に係るサッシ下枠部分の拡大図である。
【図３】図２のＡ−Ａ線断面図である。
【図４】本発明の一実施形態に係るサッシ下枠の要部斜視図である。
【図５】図３の要部拡大図である。
【図６】本発明の一実施形態に係る図５のＢ−Ｂ線断面図である。
【図７】本発明の一実施形態に係る雨水排出経路の説明図である。
【符号の説明】
【００５１】
１  サッシ縦枠
２  サッシ上枠
３  サッシ下枠
３Ａ  室内側部材
３Ｂ  室外側部材
３Ｃ  断熱部材
４  内側障子
５  外側障子
６  水切台兼下枠カバー
７  網戸
３１  室内側パネル支持部
３２  室内側連結部
３３  室内側レール部
３４  パネル当接部
３５  室外側パネル支持部
３６  水切台兼下枠カバー固定部
３７  受部
３８  室外側レール部
３９  室外側連結部
３１１  第１脚部
３２１  室内側断熱部材挟持部
３２２  架橋部
３３１  室内側レール支持部
３３２  室内側障子レール
３４１  パネル芯材当接部
３４２  額縁材当接部
３５１  第２脚部
３５２  室外側連結部支持部
３６１  係止部
３７１  側面部（垂下部）
３７１ａ  締結部材固定作業用孔
３７２  底部
３７３  パネル面材固定部（固定部）
３７３ａ  締結部材挿通孔
３８１  室外側レール支持部
３８２  室外側障子レール
３８３  網戸レール連絡部
３８４  網戸レール
３９１  室外側断熱部材挟持部
Ｄ  外壁
Ｇ  ガスケット
Ｐ１  パネル芯材
Ｐ２  パネル面材
Ｐ３  外装材
Ｐ４  石膏ボード
Ｑ  額縁材
Ｒ１，Ｒ２  付勢部材
Ｓ  サッシ
Ｔ  締結部材
Ｗ  防水シート
【図１】
2008255703.tif 000003
【図２】
2008255703.tif 000004
【図３】
2008255703.tif 000005
【図４】
2008255703.tif 000006
【図５】
2008255703.tif 000007
【図６】
2008255703.tif 000008
【図７】
2008255703.tif 000009